(57)【要約】      （修正有）【課題】２つの伸縮柱の伸縮距離の差異を簡便な構造で減少させた昇降テーブル及び伸縮柱接続板を提供する。【解決手段】伸縮柱接続板４は、頂板接続面４１、伸縮柱接続面４２及び第１の翼板４３を備える。伸縮柱接続面は、頂板接続面と表裏の関係にある。第１の翼板は、同じ方向に折れ曲がり角が両端に設けられて開口方向を有するとともに、伸縮柱接続面に対して垂直に設けられる。昇降テーブルは、テーブル本体１、ベース２、２つの伸縮柱及び伸縮柱接続板４を備える。２つの伸縮柱は、外管３１、上蓋３２、内管３３及び伸縮シリンダ３４を有する。外管は、ベース端３１１及び上蓋端３１２を有する。ベース端はベースに接続される。上蓋は、外管の上蓋端に接続され、第１のニードルベアリング３２１を有する。内管は、外管に嵌設され、伸縮端３３１及び非伸縮端３３２を有する。【選択図】図１
0003223891.tif 000002
【実用新案登録請求の範囲】
【請求項１】
頂板接続面、伸縮柱接続面及び第１の翼板を備えた伸縮柱接続板であって、
前記伸縮柱接続面は、前記頂板接続面と表裏の関係にあり、
前記第１の翼板は、同じ方向に折れ曲がり角が両端に設けられて開口方向を有するとともに、前記伸縮柱接続面に対して垂直に前記伸縮柱接続面に設けられることを特徴とする伸縮柱接続板。
【請求項２】
前記伸縮柱接続面の縁部に設けられ、前記伸縮柱接続面に対して垂直に設けられた第２の翼板をさらに備えることを特徴とする請求項１に記載の伸縮柱接続板。
【請求項３】
前記第２の翼板は、前記第１の翼板の前記開口方向に対して垂直に設けられることを特徴とする請求項２に記載の伸縮柱接続板。
【請求項４】
テーブル本体、ベース、２つの伸縮柱及び伸縮柱接続板を備えた昇降テーブルであって、
前記２つの伸縮柱は、外管、上蓋、内管及び伸縮シリンダを有し、
前記外管は、ベース端及び上蓋端を有し、前記ベース端は、前記ベースに接続され、
前記上蓋は、前記外管の前記上蓋端に接続されるとともに、第１のニードルベアリングを有し、
前記内管は、前記外管に嵌設されるとともに、伸縮端及び非伸縮端を有し、前記伸縮端は、第２のニードルベアリングを有し、
前記伸縮シリンダは、シリンダ体及びシリンダ棒を有し、前記シリンダ体は前記内管に接続され、前記シリンダ棒は前記外管に接続され、前記内管が前記外管に対して摺動可能であり、
前記伸縮柱接続板は、頂板接続面、伸縮柱接続面及び第１の翼板を有し、
前記伸縮柱接続面は、前記頂板接続面と表裏の関係にあり、
前記第１の翼板は、同じ方向に折れ曲がり角が両端に設けられて開口方向を有するとともに、前記伸縮柱接続面に対して垂直に前記伸縮柱接続面に設けられ、
前記伸縮柱接続板の前記頂板接続面は、前記テーブル本体に接続され、前記伸縮柱接続面の前記第１の翼板は、前記２つの伸縮柱の前記内管の前記非伸縮端に接続され、前記伸縮柱接続板により前記２つの伸縮柱を同期で摺動させ、前記ベースに対して前記テーブル本体を昇降させ得ることを特徴とする昇降テーブル。
【請求項５】
前記伸縮柱接続板は、前記伸縮柱接続面に対して垂直に前記伸縮柱接続面の縁部に設けられた第２の翼板を有することを特徴とする請求項４に記載の昇降テーブル。
【請求項６】
前記第２の翼板は、前記第１の翼板の前記開口方向に対して垂直に設けられることを特徴とする請求項５に記載の昇降テーブル。
【考案の詳細な説明】
【技術分野】
【０００１】
本考案は、昇降テーブル及び前記昇降テーブルに用いられる伸縮柱接続板に関するものであり、さらに詳しくは、高さ調整可能な昇降テーブル及び前記昇降テーブルを構成する伸縮柱接続板に関するものである。
【背景技術】
【０００２】
昇降テーブルは、様々な分野で幅広く応用されているが、昇降テーブルを使用する場合において、卓上面にかかる負荷が大きいときは、２つの伸縮柱が必要であることが一般的であった。従来の２つの伸縮柱を有する昇降テーブルは、伸縮柱接続板を介してテーブル本体に接続される。２つの伸縮柱を有する昇降テーブルを操作する際、２つの伸縮柱の伸縮距離が完全に同じでない場合、伸縮柱接続板の可撓性が十分でないときは、僅かに変形しても、伸縮柱の内管及び外管が互いに当接されてスムーズに摺動できなくなる問題が発生し易いという指摘がされている。この問題を解決するには、２つの伸縮柱間の伸縮距離の差異を減らす必要があったが、その場合、伸縮柱の構造が複雑となり、これに伴ない、昇降テーブルの製造コストが増加する難点も指摘されてきた。
【考案の概要】
【考案が解決しようとする課題】
【０００３】
従って、本考案の課題は、高さを調整可能とした昇降テーブル及び前記昇降テーブルを実現するための構成要素とされる伸縮柱の伸縮距離の差異を簡便な構造で減少させた伸縮柱接続板を提供することにある。
【課題を解決するための手段】
【０００４】
そこで、本考案者は、本考案の前記課題を解決するため、鋭意検討を重ねた結果、後述のように、伸縮柱接続板の裏面（伸縮柱接続面）に、両端に折れ曲がり角を設けた翼板を備えることにより、前記課題の解決を図ることができる点に着目し、かかる知見に基いて本考案に想到するに至った。
【０００５】
すなわち、上記課題を解決するために、本考案の第１の形態によれば、頂板接続面、伸縮柱接続面及び第１の翼板を備えた伸縮柱接続板であって、前記伸縮柱接続面は、前記頂板接続面と表裏の関係にあり、前記第１の翼板は、同じ方向に折れ曲がり角が両端に設けられて開口方向を有するとともに、前記伸縮柱接続面に対して垂直に前記伸縮柱接続面に設けられることを特徴とする伸縮柱接続板を提供する。
【０００６】
前記伸縮柱接続面の縁部に設けられ、前記伸縮柱接続面に対して垂直に設けられた第２の翼板をさらに備えることが好ましい。
【０００７】
前記第２の翼板は、前記第１の翼板の前記開口方向に対して垂直に設けられることが好ましい。
【０００８】
上記課題を解決するために、本考案の第２の形態によれば、テーブル本体、ベース、２つの伸縮柱及び伸縮柱接続板を備えた昇降テーブルであって、前記２つの伸縮柱は、外管、上蓋、内管及び伸縮シリンダを有し、前記外管は、ベース端及び上蓋端を有し、前記ベース端は、前記ベースに接続され、前記上蓋は、前記外管の前記上蓋端に接続されるとともに、第１のニードルベアリングを有し、前記内管は、前記外管に嵌設されるとともに、伸縮端及び非伸縮端を有し、前記伸縮端は、第２のニードルベアリングを有し、前記伸縮シリンダは、シリンダ体及びシリンダ棒を有し、前記シリンダ体は前記内管に接続され、前記シリンダ棒は前記外管に接続され、前記内管が前記外管に対して摺動可能であり、前記伸縮柱接続板は、頂板接続面、伸縮柱接続面及び第１の翼板を有し、前記伸縮柱接続面は、前記頂板接続面と表裏の関係にあり、前記第１の翼板は、同じ方向に折れ曲がり角が両端に設けられて開口方向を有するとともに、前記伸縮柱接続面に対して垂直に前記伸縮柱接続面に設けられ、前記伸縮柱接続板の前記頂板接続面は、前記テーブル本体に接続され、前記伸縮柱接続面の前記第１の翼板は、前記２つの伸縮柱の前記内管の前記非伸縮端に接続され、前記伸縮柱接続板により前記２つの伸縮柱を同期で摺動させ、前記ベースに対して前記テーブル本体を昇降させ得ることを特徴とする昇降テーブルを提供する。
【０００９】
前記伸縮柱接続板は、前記伸縮柱接続面に対して垂直に前記伸縮柱接続面の縁部に設けられた第２の翼板を有することが好ましい。
【００１０】
前記第２の翼板は、前記第１の翼板の前記開口方向に対して垂直に設けられることが好ましい。
【００１１】
かくして、本考案の要旨は、次の（１）〜（６）に記載の通りのものである。
【００１２】
（１）頂板接続面、伸縮柱接続面及び第１の翼板を備えた伸縮柱接続板であって、
前記伸縮柱接続面は、前記頂板接続面と表裏の関係にあり、
前記第１の翼板は、同じ方向に折れ曲がり角が両端に設けられて開口方向を有するとともに、前記伸縮柱接続面に対して垂直に前記伸縮柱接続面に設けられることを特徴とする伸縮柱接続板。
【００１３】
（２）前記伸縮柱接続面の縁部に設けられ、前記伸縮柱接続面に対して垂直に設けられた第２の翼板をさらに備えることを特徴とする前記（１）に記載の伸縮柱接続板。
【００１４】
（３）前記第２の翼板は、前記第１の翼板の前記開口方向に対して垂直に設けられることを特徴とする前記（２）に記載の伸縮柱接続板。
【００１５】
（４）テーブル本体、ベース、２つの伸縮柱及び伸縮柱接続板を備えた昇降テーブルであって、
前記２つの伸縮柱は、外管、上蓋、内管及び伸縮シリンダを有し、
前記外管は、ベース端及び上蓋端を有し、前記ベース端は、前記ベースに接続され、
前記上蓋は、前記外管の前記上蓋端に接続されるとともに、第１のニードルベアリングを有し、
前記内管は、前記外管に嵌設されるとともに、伸縮端及び非伸縮端を有し、前記伸縮端は、第２のニードルベアリングを有し、
前記伸縮シリンダは、シリンダ体及びシリンダ棒を有し、前記シリンダ体は前記内管に接続され、前記シリンダ棒は前記外管に接続され、前記内管が前記外管に対して摺動可能であり、
前記伸縮柱接続板は、頂板接続面、伸縮柱接続面及び第１の翼板を有し、
前記伸縮柱接続面は、前記頂板接続面と表裏の関係にあり、
前記第１の翼板は、同じ方向に折れ曲がり角が両端に設けられて開口方向を有するとともに、前記伸縮柱接続面に対して垂直に前記伸縮柱接続面に設けられ、
前記伸縮柱接続板の前記頂板接続面は、前記テーブル本体に接続され、前記伸縮柱接続面の前記第１の翼板は、前記２つの伸縮柱の前記内管の前記非伸縮端に接続され、前記伸縮柱接続板により前記２つの伸縮柱を同期で摺動させ、前記ベースに対して前記テーブル本体を昇降させ得ることを特徴とする昇降テーブル。
【００１６】
（５）前記伸縮柱接続板は、前記伸縮柱接続面に対して垂直に前記伸縮柱接続面の縁部に設けられた第２の翼板を有することを特徴とする前記（４）に記載の昇降テーブル。
【００１７】
（６）前記第２の翼板は、前記第１の翼板の前記開口方向に対して垂直に設けられることを特徴とする前記（５）に記載の昇降テーブル。
【考案の効果】
【００１８】
本考案は、前記の通りの構成からなり、翼板を利用することにより、伸縮柱接続板の可撓性を向上させることができ、２つの伸縮柱を同期で摺動させることができることから、昇降テーブルの高さを円滑に調整することができる。
【図面の簡単な説明】
【００１９】
【図１】図１は、本考案の一実施形態に係る昇降テーブルを示す分解斜視図である。
【図２】図２は、本考案の一実施形態に係る伸縮柱接続板を示す斜視図である。
【図３】図３は、本考案の一実施形態に係る伸縮柱接続板と伸縮柱とが接続された状態を示す斜視図である。
【図４】図４は、従来技術及び本考案の一実施形態に係る昇降テーブルの使用状態の説明図である。
【図５】図５は、本考案の一実施形態に係る伸縮柱の組立方式を示す斜視図である。
【考案を実施するための形態】
【００２０】
以下、図面に従って、本考案について具体的に説明する。もっとも本考案では、かかる図面によって限定されるものではない。
図１を参照する。図１は、本考案の一実施形態に係る昇降テーブルを示す分解斜視図である。本考案の一実施形態に係る昇降テーブルは、少なくともテーブル本体１、ベース２、２つの伸縮柱、伸縮柱接続板４及び連動制御レバー６から構成されてなる。２つの伸縮柱は、外管３１、上蓋３２、内管３３及び伸縮シリンダ３４を含む。外管３１は、ベース端３１１及び上蓋端３１２を有する。ベース端３１１は、ベース２に接続される。上蓋３２は、外管３１の上蓋端３１２に接続されるとともに、第１のニードルベアリング３２１を有する。内管３３は、外管３１に嵌設されるとともに、伸縮端３３１及び非伸縮端３３２を有する。伸縮端３３１は、第２のニードルベアリング３３３を有する。伸縮シリンダ３４は、シリンダ体３４１及びシリンダ棒３４２を有する。シリンダ体３４１は内管３３に接続され、シリンダ棒３４２は外管３１に接続され、内管３３が外管３１に対して摺動可能である。伸縮柱接続板４は、頂板接続面４１、伸縮柱接続面４２及び第１の翼板４３を有する。伸縮柱接続板４の頂板接続面４１は、テーブル本体１に接続される。伸縮柱接続面４２は、２つの伸縮柱の内管３３の非伸縮端３３２に接続される。２つの伸縮柱の摺動は、連動制御レバー６により制御し、ベース２に対してテーブル本体１を昇降させ得る。
【００２１】
図２を参照する。図２は、本考案の一実施形態に係る伸縮柱接続板を示す斜視図である。伸縮柱接続板４は、互いに表裏の関係にある頂板接続面４１及び伸縮柱接続面４２と、第１の翼板４３と、を含む。第１の翼板４３の両端には、同じ方向に折れ曲がり角４３１が設けられ、第１の翼板４３に開口方向４３２が設けられる。本実施形態において、折れ曲がり角４３１は９０度であるが、当業者であれば分かるように、伸縮柱の内管３３の断面形状に応じて折れ曲がり角４３１の数値を変えても良いし弧形状を採用してもよいが、本考案はこれだけに限定されない。第１の翼板４３は、伸縮柱接続面４２に対して垂直に伸縮柱接続面４２に設け、伸縮柱接続板４の長軸方向の可撓性を高めてもよい。また、伸縮柱接続板４の伸縮柱接続面４２の縁部には、第１の翼板４３の開口方向４３２に対して垂直な第２の翼板４４を設け、伸縮柱接続板４の長軸方向の可撓性を高めてもよい。
【００２２】
図３を参照する。図３は、本考案の一実施形態に係る伸縮柱接続板と伸縮柱とが接続された状態を示す斜視図である。伸縮柱接続面４２には、２つの内管３３の非伸縮端３３２が接続される。第１の翼板４３の折れ曲がり角４３１は、内管３３の断面形状に一致するため（例えば、本実施形態の９０度の折れ曲がり角（図示せず）と、断面が長方形を呈する内管３３とが一致するため）、ねじ止め、溶接などの手段により両者を接続させることができる。第１の翼板４３は、伸縮柱接続板４の可撓性を高めることができる上、２つの内管３３と伸縮柱接続板４との間の固定点を提供し、昇降テーブルの全体構造の強度を高めることができる。
【００２３】
図４を参照する。図４は、従来技術及び本考案の一実施形態に係る昇降テーブルの使用状態の説明図である。図４Ａの左図は、従来の昇降テーブルを示す斜視図であり、２つの伸縮柱内管３３Ａと平面状の伸縮柱接続板４Ａとが接続された状態を示す。図４Ａの右図は、従来の昇降テーブルの使用状態の説明図であり、２つの伸縮柱内管３３Ａが外管３１Ａに対して伸縮方向５Ａで伸縮する際、２つの伸縮柱の伸縮幅が完全に同じでない（本実施形態では右側が左側より大きい）とき、従来の伸縮柱接続板４Ａは可撓性が不足して僅かに変形し、伸縮柱の内管３３Ａ及び外管３１Ａが互いに当接されるため、円滑に摺動することができなかった。図４Ｂの左図は、本実施形態の昇降テーブル構造を示す斜視図であり、２つの伸縮柱内管３３Ｂと伸縮柱接続板４Ｂとが接続され、伸縮柱接続板４Ｂには、可撓性を高めるために第１の翼板４３が設けられている。図４Ｂの右図は、本実施形態の昇降テーブルの使用状態の説明図であり、２つの伸縮柱内管３３Ｂが外管３１Ｂに対して伸縮方向５Ｂで伸縮すると、２つの伸縮柱の伸縮幅は、完全に同じではないが、伸縮柱接続板４Ｂの可撓性が十分であるため、ほとんど変形せず、２つの伸縮柱の内管３３Ｂと外管３１Ｂとの摺動が円滑に行われる。また、伸縮柱接続板４Ｂの伸縮柱接続面４２Ｂの縁部には、伸縮柱接続板４Ｂの可撓性を高めるために、第２の翼板４４が設けられてもよい。
【００２４】
図５を参照する。図５は、本考案の一実施形態に係る伸縮柱の組立方式を示す斜視図である。図５に示すように、内管３３には、伸縮シリンダのシリンダ体（図示せず）が接続され、非伸縮端３３２を上蓋３２に挿入すると、最終的に上蓋３２が外管３１の上蓋端３１２に接続される。内管３３が外管３１に対して摺動されると、上蓋３２の第１のニードルベアリング３２１と内管３３の第２のニードルベアリング３３３とにより、内管３３が外管３１内で揺れることを防ぎ、伸縮柱を円滑に伸縮させることができる。
【００２５】
上述したことから分かるように、本考案の昇降テーブル及び伸縮柱接続板は、第１の翼板４３を利用して伸縮柱接続板４の可撓性を高め、２つの伸縮柱を同期で摺動させ、昇降テーブルの高さを円滑に調整することができる。
【符号の説明】
【００２６】
０  昇降テーブル
１  テーブル本体
２  ベース
４  伸縮柱接続板
４Ａ  伸縮柱接続板
４Ｂ  伸縮柱接続板
５  伸縮方向
５Ａ  伸縮方向
５Ｂ  伸縮方向
６  連動制御レバー
３１  外管
３１Ａ  外管
３１Ｂ  外管
３２  上蓋
３３  内管
３３Ａ  内管
３３Ｂ  内管
３４  伸縮シリンダ
４１  頂板接続面
４２  伸縮柱接続面
４２Ｂ  伸縮柱接続面
４３  第１の翼板
４４  第２の翼板
３１１  ベース端
３１２  上蓋端
３２１  第１のニードルベアリング
３３１  伸縮端
３３２  非伸縮端
３３３  第２のニードルベアリング
３４１  シリンダ体
３４２  シリンダ棒
４３１  折れ曲がり角
４３２  開口方向
【図１】
0003223891.tif 000003
【図２】
0003223891.tif 000004
【図３】
0003223891.tif 000005
【図４】
0003223891.tif 000006
【図５】
0003223891.tif 000007